(57)【要約】【課題】無線基地局がユーザによって正しい固定回線に接続されているかを確認すること。【解決手段】通信サーバ１２０は、ユーザによって固定回線１３０に接続可能な無線基地局１１０と通信を行う。受信部１２１は、無線基地局１１０を識別する局識別情報と、無線基地局１１０が接続された固定回線１３０を識別する回線識別情報と、を無線基地局１１０から受信する。取得部１２２は、局識別情報と回線識別情報とがあらかじめ対応付けられた認証情報を取得する。判定部１２３は、受信部１２１によって受信された局識別情報と回線識別情報との対応が、取得部１２２によって取得された認証情報の対応付けと一致するか否かを判定する。判定結果出力部１２４は、判定部１２３による判定結果を出力する。【選択図】図１
2010161638.tif 000002
【特許請求の範囲】
【請求項１】
ユーザによって固定回線に接続可能な無線基地局と通信を行う通信サーバにおいて、
前記無線基地局を識別する局識別情報と、前記無線基地局が接続された固定回線を識別する回線識別情報と、を前記無線基地局から受信する受信部と、
前記局識別情報と前記回線識別情報とがあらかじめ対応付けられた認証情報を取得する取得部と、
前記受信部によって受信された前記局識別情報と前記回線識別情報との対応が、前記取得部によって取得された認証情報の対応付けと一致するか否かを判定する判定部と、
前記判定部による判定結果を出力する判定結果出力部と、
を備えることを特徴とする通信サーバ。
【請求項２】
前記取得部は、前記局識別情報および前記回線識別情報の少なくとも一方と、前記固定回線において前記無線基地局が接続される位置を示す位置情報と、があらかじめ対応付けられた対応情報を取得し、
前記取得部によって取得された対応情報において、前記受信部によって受信された前記局識別情報および前記回線識別情報の少なくとも一方と対応付けられている位置情報を抽出する抽出部と、
前記抽出部によって抽出された位置情報を出力する対応情報出力部と、
を備えることを特徴とする請求項１に記載の通信サーバ。
【請求項３】
前記無線基地局は、前記無線基地局の周囲の無線通信端末と無線通信を行い、
前記無線通信端末から前記無線基地局を介して呼接続要求が送信された場合に、前記抽出部によって抽出された位置情報を前記呼接続要求の要求先へ送信する送信部を備えることを特徴とする請求項２に記載の通信サーバ。
【請求項４】
前記受信部は、前記無線基地局との通信開始時に前記局識別情報および前記回線識別情報を受信することを特徴とする請求項１に記載の通信サーバ。
【請求項５】
前記受信部は、前記無線基地局が固定回線に接続されるごとに、前記局識別情報および前記回線識別情報を受信することを特徴とする請求項１に記載の通信サーバ。
【請求項６】
ユーザによって固定回線に接続可能な無線基地局において、
自局を識別する局識別情報を記憶する記憶部と、
自局が接続された固定回線を識別する回線識別情報を取得する取得部と、
前記記憶部によって記憶された局識別情報と、前記取得部によって取得された回線識別情報と、を通信サーバへ送信する送信部と、
を備えることを特徴とする無線基地局。
【請求項７】
前記送信部は、前記取得部によって取得された回線識別情報が示す固定回線を介して、前記局識別情報および前記回線識別情報を送信することを特徴とする請求項６に記載の無線基地局。
【請求項８】
前記取得部は、前記自局が固定回線に接続されるごとに、接続された固定回線を識別する回線識別情報を取得し、
前記送信部は、前記取得部によって回線識別情報が取得されるごとに前記局識別情報と回線識別情報とを送信することを特徴とする請求項６に記載の無線基地局。
【請求項９】
ユーザによって固定回線に接続可能な無線基地局であって、前記無線基地局を識別する局識別情報と、前記無線基地局が接続された固定回線を識別する回線識別情報と、を送信する無線基地局と、
前記無線基地局から受信した局識別情報と回線識別情報との対応と、前記局識別情報と前記回線識別情報とがあらかじめ対応付けられた認証情報の対応付けが一致するか否かを判定し、判定結果を出力する通信サーバと、
を備えることを特徴とする通信システム。
【請求項１０】
ユーザによって固定回線に接続可能な無線基地局と通信を行う通信方法において、
前記無線基地局を識別する局識別情報と、前記無線基地局が接続された固定回線を識別する回線識別情報と、を前記無線基地局から受信する受信工程と、
前記局識別情報と前記回線識別情報とがあらかじめ対応付けられた認証情報を取得する取得工程と、
前記受信工程によって受信された前記局識別情報と前記回線識別情報との対応が、前記取得工程によって取得された認証情報の対応付けと一致するか否かを判定する判定工程と、
前記判定工程による判定結果を出力する判定結果出力工程と、
を備えることを特徴とする通信方法。
【発明の詳細な説明】
【技術分野】
【０００１】
本発明は、通信を行う通信サーバ、無線基地局、通信システムおよび通信方法に関する。
【背景技術】
【０００２】
携帯電話などの移動端末により通信を行う移動通信システムでは、ＡＤＳＬ（Ａｓｙｍｍｅｔｒｉｃ  Ｄｉｇｉｔａｌ  Ｓｕｂｓｃｒｉｂｅｒ  Ｌｉｎｅ：非対称デジタル加入者線）などのブロードバンド回線を経由して移動通信事業者網に接続する小型の無線基地局が導入され始めている。たとえば、住宅や中小企業の環境などで通信エリアを提供するフェムト基地局が用いられている。
【０００３】
たとえば、携帯電話網への超小型基地局の接続システムに、超小型基地局から携帯電話網に固定電話網を介して識別コード及び固定電話番号を通知する固定電話番号／識別コード通知部と、固定電話番号、識別コードを保持する情報登録部と、固定電話番号から超小型基地局が設置された位置を求め超小型基地局の周囲基地局の拡散符号、位置と共に超小型基地局の位置を携帯電話網から超小型基地局に固定電話網を介し通知する拡散符号／位置通知部と、周囲基地局の拡散符号、位置、超小型基地局の位置から超小型基地局の隣接基地局に不使用の拡散符号を超小型基地局に割当てる拡散符号割当部と、拡散符号を超小型基地局から携帯電話網に固定電話網を介し通知し、拡散符号を情報登録部に保持させる割当拡散符号通知部とを備える（たとえば、下記特許文献１参照。）。
【先行技術文献】
【特許文献】
【０００４】
【特許文献１】特開２００６−２６１７２２号公報
【発明の概要】
【発明が解決しようとする課題】
【０００５】
しかしながら、ユーザによって接続可能な無線基地局は、無線基地局がユーザによって正しい固定回線に接続されているかを確認することができないという問題がある。たとえば、ユーザは、フェムト基地局の導入時に業者と契約した固定回線とは異なる固定回線にフェムト基地局を接続することも可能である。このため、フェムト基地局が、業者の意図しない固定回線に接続されることがあり得る。
【０００６】
本発明の一側面では、無線基地局がユーザによって正しい固定回線に接続されているかを確認することを目的とする。
【課題を解決するための手段】
【０００７】
第１の案では、ユーザによって固定回線に接続可能な無線基地局と通信を行う通信サーバにおいて、前記無線基地局を識別する局識別情報と、前記無線基地局が接続された固定回線を識別する回線識別情報と、を前記無線基地局から受信する受信部と、前記局識別情報と前記回線識別情報とがあらかじめ対応付けられた認証情報を取得する取得部と、前記受信部によって受信された前記局識別情報と前記回線識別情報との対応が、前記取得部によって取得された認証情報の対応付けと一致するか否かを判定する判定部と、前記判定部による判定結果を出力する判定結果出力部と、を備えることを特徴とする通信サーバを用いることとする。
【０００８】
好ましくは、前記取得部は、前記局識別情報および前記回線識別情報の少なくとも一方と、前記固定回線において前記無線基地局が接続される位置を示す位置情報と、があらかじめ対応付けられた対応情報を取得し、前記取得部によって取得された対応情報において、前記受信部によって受信された前記局識別情報および前記回線識別情報の少なくとも一方と対応付けられている位置情報を抽出する抽出部と、前記抽出部によって抽出された位置情報を出力する対応情報出力部と、を備えることとする。
【０００９】
好ましくは、前記無線基地局は、前記無線基地局の周囲の無線通信端末と無線通信を行い、前記無線通信端末から前記無線基地局を介して呼接続要求が送信された場合に、前記抽出部によって抽出された位置情報を前記呼接続要求の要求先へ送信する送信部を備えることとする。
【００１０】
好ましくは、前記受信部は、前記無線基地局との通信開始時に前記局識別情報および前記回線識別情報を受信することとする。
【００１１】
好ましくは、前記受信部は、前記無線基地局が固定回線に接続されるごとに、前記局識別情報および前記回線識別情報を受信することとする。
【００１２】
第２の案では、ユーザによって固定回線に接続可能な無線基地局において、自局を識別する局識別情報を記憶する記憶部と、自局が接続された固定回線を識別する回線識別情報を取得する取得部と、前記記憶部によって記憶された局識別情報と、前記取得部によって取得された回線識別情報と、を通信サーバへ送信する送信部と、を備えることを特徴とする無線基地局を用いることとする。
【００１３】
好ましくは、前記送信部は、前記取得部によって取得された回線識別情報が示す固定回線を介して、前記局識別情報および前記回線識別情報を送信することとする。
【００１４】
好ましくは、前記取得部は、前記自局が固定回線に接続されるごとに、接続された固定回線を識別する回線識別情報を取得し、前記送信部は、前記取得部によって回線識別情報が取得されるごとに前記局識別情報と回線識別情報とを送信することとする。
【００１５】
第３の案では、ユーザによって固定回線に接続可能な無線基地局であって、前記無線基地局を識別する局識別情報と、前記無線基地局が接続された固定回線を識別する回線識別情報と、を送信する無線基地局と、前記無線基地局から受信した局識別情報と回線識別情報との対応と、前記局識別情報と前記回線識別情報とがあらかじめ対応付けられた認証情報の対応付けが一致するか否かを判定し、判定結果を出力する通信サーバと、を備えることを特徴とする通信システムを用いることとする。
【００１６】
第４の案では、ユーザによって固定回線に接続可能な無線基地局と通信を行う通信方法において、前記無線基地局を識別する局識別情報と、前記無線基地局が接続された固定回線を識別する回線識別情報と、を前記無線基地局から受信する受信工程と、前記局識別情報と前記回線識別情報とがあらかじめ対応付けられた認証情報を取得する取得工程と、前記受信工程によって受信された前記局識別情報と前記回線識別情報との対応が、前記取得工程によって取得された認証情報の対応付けと一致するか否かを判定する判定工程と、前記判定工程による判定結果を出力する判定結果出力工程と、を備えることを特徴とする通信方法を用いることとする。
【発明の効果】
【００１７】
本発明によれば、無線基地局がユーザによって正しい固定回線に接続されているかを確認することができる。
【図面の簡単な説明】
【００１８】
【図１】実施の形態１にかかる通信システムの構成を示すブロック図である。
【図２】図１に示した無線基地局の変形例を示すブロック図である。
【図３】実施の形態２にかかる通信システムの構成を示すブロック図である。
【図４】実施の形態３にかかる通信システムの構成を示すブロック図である。
【図５】図４に示した通信システムの動作例１を示すシーケンス図である。
【図６】図４に示した通信システムの動作例２を示すシーケンス図である。
【図７】図４に示した通信システムの動作例３を示すシーケンス図である。
【図８】図４に示したフェムト基地局の具体的な構成例を示すブロック図である。
【図９】図８に示したフェムト基地局の初期設定を示す図である。
【図１０】図８に示したフェムト基地局の通信部の動作の一例を示すフローチャートである。
【図１１】図４に示した認証ＧＷの具体的な構成例を示すブロック図である。
【図１２】図１１に示した記憶部に記憶されるテーブルの一例を示す図である。
【図１３】図１１に示した認証ＧＷの通信部の動作の一例を示すフローチャートである。
【図１４】図４に示した通信システムの具体的な動作例を示すシーケンス図である。
【図１５】実施の形態４にかかる通信システムの構成を示すブロック図である。
【図１６】図１５に示したフェムト基地局およびＢＢＲの初期設定を示す図である。
【図１７】図１５に示したＢＢＲの動作の一例を示すフローチャートである。
【図１８】図１５に示したフェムト基地局の動作の一例を示すフローチャートである。
【図１９】図１５に示した認証ＧＷの通信部の動作の一例を示すフローチャートである。
【図２０−１】図１５に示した通信システムの具体的な動作例を示すシーケンス図（その１）である。
【図２０−２】図１５に示した通信システムの具体的な動作例を示すシーケンス図（その２）である。
【図２１】実施の形態５にかかる通信システムの構成を示すブロック図である。
【図２２】図２１に示したＩＳＰ網の認証サーバに記憶されるテーブルの一例を示す図である。
【図２３】図２１に示した移動通信事業者網の認証サーバに記憶されるテーブルの一例を示す図である。
【図２４】図２１に示した通信システムにおける動作例１を示すシーケンス図である。
【図２５】図２１に示した通信システムにおける動作例２を示すシーケンス図である。
【図２６】図２１に示した通信システムにおける動作例３を示すシーケンス図である。
【発明を実施するための形態】
【００１９】
以下に添付図面を参照して、この通信サーバ、無線基地局、通信システムおよび通信方法の好適な実施の形態を詳細に説明する。
【００２０】
（実施の形態１）
（通信システムの構成）
図１は、実施の形態１にかかる通信システムの構成を示すブロック図である。図１に示すように、実施の形態１にかかる通信システム１００は、無線基地局１１０と、通信サーバ１２０と、を含んでいる。固定回線１３０は、たとえば、家庭やオフィスなどに対して固定的に開通させている通信回線である。
【００２１】
固定回線１３０は、たとえば、電話回線、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）回線、ＡＤＳＬ回線、ＣＡＴＶ（Ｃｏｍｍｕｎｉｔｙ  Ａｎｔｅｎｎａ  ＴｅｌｅＶｉｓｉｏｎ）回線、ＦＴＴＨ（Ｆｉｂｅｒ  Ｔｏ  Ｔｈｅ  Ｈｏｍｅ）などの通信回線である。
【００２２】
無線基地局１１０は、ユーザの作業によって固定回線１３０に接続可能な基地局である。たとえば、ユーザは、無線基地局１１０の購入時に、無線基地局１１０を接続する固定回線１３０（たとえば、家庭やオフィスの通信回線）の登録を移動通信事業者に対して行う。そして、ユーザは、移動通信事業者に対して登録した固定回線１３０の端子に無線基地局１１０の端子を接続して所定の設定を行う。
【００２３】
これにより、無線基地局１１０が固定回線１３０に接続され、無線基地局１１０と通信サーバ１２０との間で固定回線１３０を介した通信が可能になる。無線基地局１１０は、記憶部１１１と、取得部１１２と、送信部１１３と、を備えている。記憶部１１１は、無線基地局１１０（自局）を識別する局識別情報を記憶している。
【００２４】
局識別情報は、たとえば、無線基地局１１０の製造時または販売時に記憶部１１１に記憶される。または、局識別情報は、無線基地局１１０のユーザの設定によって記憶部１１１に記憶される。局識別情報は、たとえば、無線基地局１１０に割り当てられたＭＡＣアドレス（Ｍｅｄｉａ  Ａｃｃｅｓｓ  Ｃｏｎｔｒｏｌ  ａｄｄｒｅｓｓ）である。
【００２５】
取得部１１２は、無線基地局１１０（自局）が接続された固定回線１３０を識別する回線識別情報を取得する。取得部１１２は、取得した回線識別情報を送信部１１３へ出力する。回線識別情報は、たとえば、固定回線１３０のユーザを識別するユーザＩＤと、ユーザＩＤに対応付けられたパスワードと、固定回線１３０の識別番号と、を含む。
【００２６】
たとえば、回線識別情報は、無線基地局１１０のメモリ（不図示）にあらかじめ記憶されており、取得部１１２は、メモリに記憶された回線識別情報を読み出すことによって回線識別情報を取得する。または、取得部１１２は、無線基地局１１０が実際に接続された固定回線１３０から回線識別情報を取得するようにしてもよい。
【００２７】
送信部１１３は、記憶部１１１によって記憶された局識別情報を読み出し、読み出した局識別情報と、取得部１１２から出力された回線識別情報と、を通信サーバ１２０へ送信する。送信部１１３は、たとえば通信サーバ１２０との通信開始時に局識別情報および回線識別情報を通信サーバ１２０へ送信する。
【００２８】
たとえば、送信部１１３は、取得部１１２から出力された回線識別情報が示す固定回線１３０を介して、局識別情報および回線識別情報を送信する。これにより、たとえばユーザの不正な行為により固定回線１３０とは異なる固定回線の回線識別情報が取得部１１２によって取得された場合は、送信部１１３は固定回線１３０によって局識別情報および回線識別情報を送信することができなくなる。このため、通信サーバ１２０が受信する回線識別情報が、無線基地局１１０が実際に接続された固定回線１３０の回線識別情報であることを保証することができる。
【００２９】
通信サーバ１２０は、受信部１２１と、取得部１２２と、判定部１２３と、判定結果出力部１２４と、を備えている。受信部１２１は、局識別情報および回線識別情報を無線基地局１１０から受信し、受信した局識別情報および回線識別情報を判定部１２３へ出力する。送信部１１３は、たとえば無線基地局１１０との通信開始時に局識別情報および回線識別情報を無線基地局１１０から受信する。
【００３０】
取得部１２２は、局識別情報と回線識別情報とがあらかじめ対応付けられた認証情報を取得し、取得した認証情報を判定部１２３へ出力する。たとえば、取得部１２２は、認証情報が記憶された他の通信装置から認証情報を受信することで認証情報を取得する。または、認証情報は、通信サーバ１２０のメモリ（不図示）にあらかじめ記憶されており、取得部１２２は、メモリに記憶された認証情報を読み出すことで認証情報を取得する。
【００３１】
判定部１２３は、受信部１２１から出力された局識別情報と回線識別情報との対応が、取得部１２２から出力された認証情報の対応付けと一致するか否かを判定する。判定部１２３は、判定結果を判定結果出力部１２４へ出力する。判定結果出力部１２４は、判定部１２３から出力された判定結果を出力する。
【００３２】
たとえば、判定結果出力部１２４から「一致」の旨の判定結果が出力された場合は、無線基地局１１０が接続された固定回線１３０が、あらかじめ無線基地局１１０と対応付けられた固定回線であることが分かる。また、判定結果出力部１２４から「不一致」の旨の判定結果が出力された場合は、無線基地局１１０が接続された固定回線１３０が、あらかじめ無線基地局１１０と対応付けられていない固定回線であることが分かる。
【００３３】
また、取得部１１２が、無線基地局１１０が固定回線（たとえば固定回線１３０）に接続されるごとに、無線基地局１１０が接続された固定回線を識別する回線識別情報を取得するようにしてもよい。そして、送信部１１３は、取得部１１２が回線識別情報を取得するごとに、取得部１１２が取得した回線識別情報と局識別情報を送信する。
【００３４】
これにより、通信サーバ１２０の受信部１２１は、無線基地局１１０が固定回線に接続されるごとに局識別情報および回線識別情報を受信することができる。これにより、たとえばユーザの不正な行為により、無線基地局１１０が固定回線１３０から切断されて他の固定回線に接続された場合に、あらたに接続された固定回線を示す回線識別情報および局識別情報を通信サーバ１２０へ送信することができる。
【００３５】
なお、図１に示した無線基地局１１０は、互いに通信可能な複数の通信装置を含む通信システムによって実現されていてもよい。たとえば、無線基地局１１０を、記憶部１１１を備えるフェムト基地局と、取得部１１２および送信部１１３を備えるブロードバンドルータと、によって実現してもよい。
【００３６】
この場合は、記憶部１１１に記憶された局識別情報は、ブロードバンドルータへ通信ケーブルを介して送信される。また、取得部１１２はブロードバンドルータが接続された固定回線の回線識別情報を取得する。また、図１に示した通信サーバ１２０は、互いに通信可能な複数の通信装置を含む通信システムによって実現されていてもよい。
【００３７】
（無線基地局の変形例）
図２は、図１に示した無線基地局の変形例を示すブロック図である。図２に示すように、無線基地局１１０は、図１に示した構成に加えて無線通信部２１１を備えていてもよい。無線通信部２１１は、無線基地局１１０の周囲の無線通信端末２２０との間で無線通信を行い、無線通信端末２２０とネットワークとの間の通信を中継する。無線通信端末２２０は、たとえば、携帯電話などの移動端末である。
【００３８】
たとえば、無線基地局１１０は、フェムトセルを実現するためのフェムト基地局である。無線通信部２１１の中継によって無線通信端末２２０が通信を行うネットワークは、たとえば、移動通信事業者網や、移動通信事業者網に接続された他のネットワークである。無線通信部２１１は、無線通信端末２２０とネットワークとの間の通信を、固定回線１３０を経由して中継してもよいし、固定回線１３０以外の回線を経由して中継してもよい。
【００３９】
このように、実施の形態１にかかる通信システム１００は、局識別情報と回線識別情報を無線基地局１１０から通信サーバ１２０へ送信し、通信サーバ１２０が局識別情報と回線識別情報との対応を認証する。これにより、無線基地局１１０がユーザによって正しい固定回線（あらかじめ無線基地局１１０と対応付けられた固定回線）に接続されているかを通信サーバ１２０側で確認することができる。このため、たとえば、ユーザが契約していない固定回線に無線基地局１１０が接続されたことを業者側で把握することができる。
【００４０】
また、無線基地局１１０と通信サーバ１２０との通信開始時に局識別情報および回線識別情報を無線基地局１１０から通信サーバ１２０へ送信することで、無線基地局１１０がユーザによって不正な固定回線に接続されたことを迅速に検出することができる。このため、たとえば、ユーザによる無線基地局１１０の不正な回線への接続や、盗難された無線基地局１１０の使用を迅速に検出することが可能になる。
【００４１】
また、無線基地局１１０が固定回線に接続されるごとに、無線基地局１１０が接続された固定回線を示す回線識別情報と局識別情報を無線基地局１１０から通信サーバ１２０へ送信するようにしてもよい。これにより、たとえばユーザの不正な行為により、無線基地局１１０が固定回線１３０から切断されて他の固定回線に接続されたことを通信サーバ１２０側で迅速に検出することが可能になる。
【００４２】
（実施の形態２）
携帯電話事業者は、事業用電気通信設備規則により、警察等への緊急通報位置情報を通知することになっている。たとえば、衛星を利用するＧＰＳ（Ｇｌｏｂａｌ  Ｐｏｓｉｔｉｏｎｉｎｇ  Ｓｙｓｔｅｍ：全地球測位システム）により携帯電話の位置情報が特定可能な場合は、その情報を緊急通報機関へ通知することが求められている。
【００４３】
一方、家庭やオフィスなどの屋内に位置する移動端末は、ＧＰＳ衛星からの電波を受信できないため、ＧＰＳの機能を有していたとしても位置情報の取得が困難である。このため、たとえば屋内に位置する移動端末から緊急通報機関へ、緊急通報位置情報を通知することができない。したがって、たとえば、屋内に位置する移動端末から緊急通報機関へ緊急呼接続要求を送信する場合にも、緊急通報機関は移動端末の位置を特定できない。
【００４４】
実施の形態２では、フェムト基地局などの無線基地局と無線通信を行う移動端末の位置を外部から特定できる通信システムを提供する。
【００４５】
（通信システムの構成）
図３は、実施の形態２にかかる通信システムの構成を示すブロック図である。図３において、図１に示した構成と同様の構成については同一の符号を付して説明を省略する。図３に示すように、実施の形態２における通信サーバ１２０は、図１に示した構成に加えて抽出部３１１および位置情報出力部３１２を備えている。受信部１２１は、受信した局識別情報を抽出部３１１へ出力する。
【００４６】
取得部１２２は、局識別情報と、固定回線１３０において無線基地局（たとえば無線基地局１１０）が接続される位置を示す位置情報と、があらかじめ対応付けられた対応情報を取得し、取得した対応情報を抽出部３１１へ出力する。固定回線１３０において無線基地局が接続される位置は、たとえば、固定回線１３０における、無線基地局を接続可能な端子が設けられた位置である。
【００４７】
たとえば、取得部１２２は、対応情報が記憶された他の通信装置から対応情報を受信することで対応情報を取得する。または、対応情報は、通信サーバ１２０のメモリ（不図示）にあらかじめ記憶されており、取得部１２２は、メモリに記憶された対応情報を読み出すことで対応情報を取得する。
【００４８】
抽出部３１１は、取得部１２２から出力された対応情報において、受信部１２１から出力された局識別情報と対応付けられている対応情報を抽出する。抽出部３１１は、抽出した対応情報を位置情報出力部３１２へ出力する。位置情報出力部３１２は、抽出部３１１から出力された対応情報を出力する。
【００４９】
受信部１２１が局識別情報を抽出部３１１へ出力する構成について説明したが、このような構成に限られない。たとえば、受信部１２１が回線識別情報を抽出部３１１へ出力する構成としてもよい。また、取得部１２２は、回線識別情報と、固定回線１３０において無線基地局１１０が接続される位置を示す位置情報と、があらかじめ対応付けられた対応情報を取得する。また、抽出部３１１は、取得部１２２から出力された対応情報において、受信部１２１から出力された回線識別情報と対応付けられている対応情報を抽出する。
【００５０】
または、受信部１２１が局識別情報および回線識別情報を抽出部３１１へ出力する構成としてもよい。また、取得部１２２は、局識別情報および回線識別情報と、固定回線１３０において無線基地局１１０が接続される位置を示す位置情報と、があらかじめ対応付けられた対応情報を取得する。また、抽出部３１１は、取得部１２２から出力された対応情報において、受信部１２１から出力された局識別情報および回線識別情報と対応付けられている対応情報を抽出する。
【００５１】
無線基地局１１０は、図１または図２に示した構成と同様である。たとえば、無線基地局１１０を図２に示した構成にする場合において、無線通信端末２２０から無線基地局１１０を介して呼接続要求が送信された場合に、位置情報出力部３１２から出力された位置情報を呼接続要求の要求先へ送信する送信部を備えていてもよい。これにより、呼接続要求の要求先の通信装置は、通信サーバ１２０から送信された位置情報に基づいて無線基地局１１０の位置を特定することができる。
【００５２】
また、無線通信端末２２０からの呼接続要求が無線基地局１１０を介して送信された場合は、無線通信端末２２０と無線基地局１１０とが通信可能な状態にあるため、無線通信端末２２０が無線基地局１１０の周囲に位置していることが分かる。したがって、呼接続要求の要求先の通信装置は、通信サーバ１２０から送信された位置情報に基づいて、呼接続要求の要求もとの無線通信端末２２０の位置を特定することができる。
【００５３】
このように、実施の形態２にかかる通信システム１００によれば、実施の形態１にかかる通信システム１００と同様の効果を奏するとともに、対応情報において、局識別情報などと対応付けられている位置情報を抽出する。これにより、無線基地局１１０の位置を特定することができる。また、無線基地局１１０の位置を特定することで、無線基地局１１０と無線通信を行う無線通信端末２２０の位置も特定することができる。
【００５４】
たとえば、無線通信端末２２０から無線基地局１１０を介して呼接続要求が送信された場合に、抽出部３１１によって抽出された位置情報を呼接続要求の要求先へ送信する。これにより、呼接続要求の要求先の通信装置は、通信サーバ１２０から送信された位置情報に基づいて無線通信端末２２０の位置を特定することができる。このため、無線通信端末２２０にＧＰＳ機能が備わっていなかったり、無線通信端末２２０が屋内にあってＧＰＳ機能が利用できなかったりしても、無線通信端末２２０の位置を特定することができる。
【００５５】
（実施の形態３）
（通信システムの構成）
図４は、実施の形態３にかかる通信システムの構成を示すブロック図である。図４に示すように、通信システム４００は、建物４１０と、固定回線事業者網４２０と、移動通信事業者網４３０と、を含んでいる。また、移動通信事業者網４３０は、インターネット４４１や緊急通報機関４４２などを含むネットワーク４４０に接続されている。
【００５６】
建物４１０の中には、フェムト基地局４１２と、ＡＤＳＬモデム４１３（ＡＤＳＬ  Ｍｏｄｅｍ）と、が設けられている。移動端末４１１は、フェムト基地局４１２との間で無線通信を行う。また、移動端末４１１は、フェムト基地局４１２を経由して固定回線事業者網４２０、移動通信事業者網４３０やネットワーク４４０に接続する。
【００５７】
フェムト基地局４１２は、ユーザの作業によって固定回線に接続可能な基地局である。具体的には、フェムト基地局４１２は、ＡＤＳＬモデム４１３の端子に接続することにより、固定回線事業者網４２０が提供する固定回線に接続可能である。フェムト基地局４１２は、たとえばＦａｓｔ  ＥｔｈｅｒによってＡＤＳＬモデム４１３と接続される。
【００５８】
また、フェムト基地局４１２は、移動端末４１１との間で無線通信を行う。フェムト基地局４１２は、たとえば３ＧＰＰ（登録商標）で規定されるＩＭＴ−２０００プロトコルにより移動端末４１１と通信を行う。また、フェムト基地局４１２は、固定回線事業者網４２０や移動通信事業者網４３０の各通信装置と連携して、移動端末４１１と他の端末との通信を中継する。
【００５９】
ＡＤＳＬモデム４１３は、ＡＤＳＬプロトコルにより固定回線事業者網４２０と接続されている。ＡＤＳＬモデム４１３は、フェムト基地局４１２が使用するＥｔｈｅｒｎｅｔ（登録商標）プロトコルと、固定回線事業者網４２０が使用するＡＤＳＬプロトコルと、を変換することにより、フェムト基地局４１２と固定回線事業者網４２０との間の通信を中継する。
【００６０】
固定回線事業者網４２０には、ＤＳＬＡＭ４２１と、ＡＧＷ４２２と、が含まれている。ＤＳＬＡＭ４２１は、固定回線事業者網４２０の局舎などに設置され、複数のＡＤＳＬ加入者回線を固定回線事業者網４２０に収容する。たとえば、ＤＳＬＡＭ４２１は、ＡＤＳＬモデム４１３が接続された固定回線を固定回線事業者網４２０に収容する。
【００６１】
ＡＧＷ４２２は、移動通信事業者網４３０と接続されている。ＡＧＷ４２２は、固定回線事業者網４２０と移動通信事業者網４３０の間の通信を中継する。また、ＡＧＷ４２２は、ＰＰＰｏＥ（Ｐｏｉｎｔ−ｔｏ−Ｐｏｉｎｔ  Ｐｒｏｔｏｃｏｌ  Ｏｖｅｒ  Ｅｔｈｅｒｎｅｔ）サーバとして動作する。ＡＧＷ４２２は、フェムト基地局４１２との間でＰＰＰｏＥセッションを確立する。
【００６２】
移動通信事業者網４３０には、認証ＧＷ４３１と、ＧＷ４３２と、認証サーバ４３３と、が含まれている。認証ＧＷ４３１は、たとえば、図１または図３に示した通信サーバ１２０である。認証ＧＷ４３１は、フェムト基地局４１２や移動端末４１１との通信の制御および通信の中継を行う。また、認証ＧＷ４３１は、移動端末４１１やフェムト基地局４１２がネットワーク４４０と通信する場合にユーザ認証を行う。
【００６３】
ＧＷ４３２は、ネットワーク４４０と接続されている。ＧＷ４３２は、移動通信事業者網４３０とネットワーク４４０との通信の制御および通信の中継を行う。
【００６４】
認証サーバ４３３には、フェムト基地局４１２の局識別情報と、フェムト基地局４１２が事前の契約などにより接続されるべき固定回線の回線識別情報と、をあらかじめ対応付けた認証情報が記憶されている。認証サーバ４３３は、認証ＧＷ４３１からの認証情報要求に応じて認証情報を認証ＧＷ４３１へ送信する。
【００６５】
また、認証サーバ４３３には、局識別情報および回線識別情報と、回線識別情報が示す固定回線における、フェムト基地局（たとえばフェムト基地局４１２）が接続される位置を示す位置情報が記憶されていてもよい。位置情報は、家庭やオフィスへ固定回線を敷設する際に決定される情報である。認証サーバ４３３は、認証ＧＷ４３１からの対応情報要求に応じて、対応情報を認証ＧＷ４３１へ送信する。
【００６６】
ネットワーク４４０は、インターネット４４１と、緊急通報機関４４２と、を含んでいる。緊急通報機関４４２は、移動端末４１１や固定電話などの各種通信端末から緊急通報を受け付ける通信装置である。緊急通報機関４４２は、たとえば、警察、消防または救急などの緊急通報を受け付ける機関の通信装置である。緊急通報機関４４２は、移動通信事業者網４３０の認証ＧＷ４３１に接続されている。たとえば、緊急通報機関４４２は、移動端末４１１からの緊急通報を、移動通信事業者網４３０を介して受け付ける。
【００６７】
（通信システムの動作）
図５は、図４に示した通信システムの動作例１を示すシーケンス図である。まず、フェムト基地局４１２がＤＳＬＡＭ４２１との間でＡＤＳＬ接続を確立する（ステップＳ５０１）。つぎに、フェムト基地局４１２が、ＤＳＬＡＭ４２１を介して認証ＧＷ４３１に接続し、認証ＧＷ４３１との間でＰＰＰｏＥセッションを確立する（ステップＳ５０２）。
【００６８】
つぎに、フェムト基地局４１２が、認証ＧＷ４３１との間でＬＣＰ（Ｌｉｎｋ  Ｃｏｎｔｒｏｌ  Ｐｒｏｔｏｃｏｌ）のリンクを確立する（ステップＳ５０３）。つぎに、フェムト基地局４１２が認証ＧＷ４３１へ認証要求を送信する（ステップＳ５０４）。ステップＳ５０４によって送信される認証要求には、フェムト基地局４１２の局識別情報と、フェムト基地局４１２が接続された固定回線を識別する回線識別情報と、が含まれている。
【００６９】
つぎに、認証ＧＷ４３１が、認証情報要求を認証サーバ４３３へ送信する（ステップＳ５０５）。つぎに、認証サーバ４３３が、認証ＧＷ４３１へ認証情報を送信する（ステップＳ５０６）。つぎに、認証ＧＷ４３１が、ステップＳ５０４によって送信された認証要求に含まれていた局識別情報と回線識別情報との対応が、ステップＳ５０６によって送信された認証情報の対応付けと一致するか否かの認証を行う（ステップＳ５０７）。
【００７０】
図５においては、ステップＳ５０７において、局識別情報と回線識別情報との対応が認証情報の対応付けと一致した場合を図示する。つぎに、認証ＧＷ４３１が、フェムト基地局４１２へ肯定応答を送信する（ステップＳ５０８）。つぎに、フェムト基地局４１２と認証ＧＷ４３１が、ネットワークレイヤプロトコルによりＰＰＰ（Ｐｏｉｎｔ−ｔｏ−Ｐｏｉｎｔ）セッションを確立する（ステップＳ５０９）。
【００７１】
ステップＳ５０９においては、たとえば、認証ＧＷ４３１が、フェムト基地局４１２に割り当てるＩＰアドレスをフェムト基地局４１２へ通知する。また、認証ＧＷ４３１が、フェムト基地局４１２に割り当てるＩＰアドレスを、ステップＳ５０６によって送信された認証情報と対応付けて記憶する。また、フェムト基地局４１２が、認証ＧＷ４３１から通知されたＩＰアドレスを自局のＩＰアドレスとして設定する。
【００７２】
つぎに、フェムト基地局４１２と認証ＧＷ４３１が、互いにＩＰパケットの送受信を開始する（ステップＳ５１０）。つぎに、認証ＧＷ４３１が、フェムトセルの動作を開始すべき旨のフェムトセル開始指示をＩＰパケットによりフェムト基地局４１２へ送信する（ステップＳ５１１）。つぎに、フェムト基地局４１２が、フェムトセルの動作を開始し（ステップＳ５１２）、一連の動作を終了する。具体的には、フェムト基地局４１２は、移動端末４１１と移動通信事業者網４３０との間の通信を中継する動作を開始する。
【００７３】
なお、ステップＳ５０５において、認証ＧＷ４３１が、認証要求に含まれていた局識別情報とともに認証情報要求を認証サーバ４３３へ送信するようにしてもよい。認証サーバ４３３は、局識別情報とともに認証情報要求を受信すると、受信した局識別情報に対応付けられている回線識別情報を認証情報から抽出する。
【００７４】
そして、認証サーバ４３３は、抽出した回線識別情報を認証情報として認証ＧＷ４３１へ送信する。認証ＧＷ４３１は、ステップＳ５０７において、認証サーバ４３３から受信した回線識別情報が、ステップＳ５０４によって送信された認証要求に含まれていた回線識別情報と一致するか否かの認証を行う。
【００７５】
または、ステップＳ５０５において、認証ＧＷ４３１が、認証要求に含まれていた回線識別情報とともに認証情報要求を認証サーバ４３３へ送信するようにしてもよい。認証サーバ４３３は、回線識別情報とともに認証情報要求を受信すると、受信した回線識別情報に対応付けられている局識別情報を認証情報から抽出する。
【００７６】
そして、認証サーバ４３３は、抽出した局識別情報を認証情報として認証ＧＷ４３１へ送信する。認証ＧＷ４３１は、ステップＳ５０７において、認証サーバ４３３から受信した局識別情報が、ステップＳ５０４によって送信された認証要求に含まれていた局識別情報と一致するか否かの認証を行う。
【００７７】
図６は、図４に示した通信システムの動作例２を示すシーケンス図である。図６に示すステップＳ６０１〜Ｓ６０７は、図５に示したステップＳ５０１〜Ｓ５０７と同様であるため説明を省略する。ただし、ステップＳ６０７において、認証要求に含まれていた局識別情報と回線識別情報との対応が認証情報の対応付けと不一致であったとする。
【００７８】
局識別情報と回線識別情報との対応が認証情報の対応付けと不一致であった場合は、つぎに、認証ＧＷ４３１が、フェムト基地局４１２へ否定応答を送信し（ステップＳ６０８）、一連の動作を終了する。認証ＧＷ４３１からフェムト基地局４１２へ否定応答を送信した場合は、フェムト基地局４１２と認証ＧＷ４３１の間でＰＰＰセッションは確立されず、フェムト基地局４１２によるフェムトセルの動作も開始されない。
【００７９】
したがって、移動端末４１１は、フェムト基地局４１２の中継による移動通信事業者網４３０との間の通信を行うことができない。これにより、たとえば、ユーザによるフェムト基地局４１２の不正な回線への接続や、盗難された無線基地局１１０の使用があった場合は、移動端末４１１のフェムト基地局４１２を介した通信を遮断することができる。
【００８０】
図７は、図４に示した通信システムの動作例３を示すシーケンス図である。図７においては、たとえば、図５に示した動作例１により、フェムト基地局４１２と認証ＧＷ４３１の間でＰＰＰセッションは確立され、フェムト基地局４１２の中継により移動端末４１１が移動通信事業者網４３０と通信可能な状態になっているとする。
【００８１】
まず、移動端末４１１から認証ＧＷ４３１へ、緊急通報機関４４２を宛先とする緊急呼接続要求を送信する（ステップＳ７０１）。ステップＳ７０１は、たとえば移動端末４１１のユーザの操作によって実行される。つぎに、認証ＧＷ４３１が、対応情報を送信すべき旨の対応情報要求を認証サーバ４３３へ送信する（ステップＳ７０２）。
【００８２】
つぎに、認証サーバ４３３が、認証ＧＷ４３１へ対応情報を送信する（ステップＳ７０３）。つぎに、認証ＧＷ４３１が、ステップＳ７０３によって送信された対応情報において、フェムト基地局４１２の回線識別情報と対応付けられている位置情報を抽出する（ステップＳ７０４）。つぎに、認証ＧＷ４３１が、ステップＳ７０４によって抽出された位置情報とともに緊急呼接続指示を緊急通報機関４４２へ送信する（ステップＳ７０５）。
【００８３】
つぎに、緊急通報機関４４２が、肯定応答を認証ＧＷ４３１へ送信する（ステップＳ７０６）。つぎに、認証ＧＷ４３１が、ステップＳ７０６によって送信された肯定応答を移動端末４１１へ送信する（ステップＳ７０７）。つぎに、移動端末４１１と緊急通報機関４４２が緊急呼接続を行い（ステップＳ７０８）、一連の動作を終了する。
【００８４】
（フェムト基地局の具体例）
図８は、図４に示したフェムト基地局の具体的な構成例を示すブロック図である。図８に示すように、フェムト基地局４１２（図４参照）は、固定回線Ｉ／Ｆ８１０と、無線通信Ｉ／Ｆ８２０と、通信部８３０と、記憶部８４０と、入力部８５０と、を備えている。
【００８５】
固定回線Ｉ／Ｆ８１０は、ＡＤＳＬモデム４１３との通信を行うインターフェースである。固定回線Ｉ／Ｆ８１０をＡＤＳＬモデム４１３の端子に接続することで、固定回線事業者網４２０が提供する固定回線にフェムト基地局４１２を接続することができる。無線通信Ｉ／Ｆ８２０は、移動端末４１１との無線通信を行うインターフェースである。
【００８６】
通信部８３０は、固定回線Ｉ／Ｆ８１０を介して移動通信事業者網４３０と通信を行う。また、通信部８３０は、無線通信Ｉ／Ｆ８２０を介して移動端末４１１と通信を行う。また、通信部８３０は、固定回線Ｉ／Ｆ８１０および無線通信Ｉ／Ｆ８２０を介して、移動端末４１１と移動通信事業者網４３０との間の通信を中継する。
【００８７】
記憶部８４０は、アドレス記憶部８４１と、ユーザ識別情報記憶部８４３と、局識別情報記憶部８４２と、固定回線識別番号記憶部８４４と、を備えている。アドレス記憶部８４１は、たとえば、フェムト基地局４１２に割り当てられたＭＡＣアドレスやＩＰアドレス、通信先のＭＡＣアドレスやＩＰアドレス、およびそれらの対応関係などを記憶する。
【００８８】
局識別情報記憶部８４２は、フェムト基地局４１２を識別するＭＡＣアドレスなどの局識別情報を記憶する。ユーザ識別情報記憶部８４３は、たとえば、フェムト基地局４１２が接続される固定回線のユーザを識別するユーザＩＤと、ユーザＩＤにあらかじめ対応付けられたパスワードと、を記憶している。固定回線識別番号記憶部８４４は、たとえば、フェムト基地局４１２が接続される固定回線を示す固定回線識別番号を記憶する。
【００８９】
入力部８５０は、外部からの各種情報が入力されるインターフェースである。たとえば、入力部８５０には、フェムト基地局４１２の設定者のＰＣ（Ｐｅｒｓｏｎａｌ  Ｃｏｍｐｕｔｅｒ）を接続可能であり、ＰＣから入力部８５０へ各種情報を入力することができる。入力部８５０から入力された各種情報は記憶部８４０に記憶される。
【００９０】
図９は、図８に示したフェムト基地局の初期設定を示す図である。フェムト基地局４１２の初期設定は、たとえば、フェムト基地局４１２の入力部８５０にＰＣ９１０を接続し、接続したＰＣ９１０から行う。たとえば、ＰＣ９１０から入力部８５０を介して、ＭＡＣアドレス９２１、局識別情報９２２、ＧＷ  ＩＰアドレス９２３、固定回線識別番号９２４、ユーザＩＤ９２５およびパスワード９２６を入力する。
【００９１】
ＰＣ９１０から入力部８５０を介して入力された情報は、フェムト基地局４１２の記憶部８４０に記憶される。ＭＡＣアドレス９２１は、フェムト基地局４１２に割り当てられたグローバルなＭＡＣアドレスである。ＭＡＣアドレス９２１は、記憶部８４０のアドレス記憶部８４１に記憶される。また、ＭＡＣアドレス９２１は、記憶部８４０の局識別情報記憶部８４２に局識別情報として記憶されてもよい。
【００９２】
局識別情報９２２は、たとえば、フェムト基地局４１２を一意に特定する番号である。局識別情報９２２は、記憶部８４０の局識別情報記憶部８４２に記憶される。ＧＷ  ＩＰアドレス９２３は、認証ＧＷ４３１に割り当てられたＩＰアドレスである。ＧＷ  ＩＰアドレス９２３は、記憶部８４０のアドレス記憶部８４１に記憶される。固定回線識別番号９２４は、たとえば、フェムト基地局４１２が接続される固定回線の識別番号である。固定回線識別番号９２４は、記憶部８４０の固定回線識別番号記憶部８４４に記憶される。
【００９３】
ユーザＩＤ９２５は、フェムト基地局４１２が接続される固定回線のユーザを識別するＩＤである。ユーザＩＤ９２５は、記憶部８４０のユーザ識別情報記憶部８４３に記憶される。パスワード９２６は、たとえば固定回線事業者網４２０や移動通信事業者網４３０においてユーザＩＤ９２５に対応付けられているパスワードである。パスワード９２６は、記憶部８４０のユーザ識別情報記憶部８４３に記憶される。
【００９４】
図１０は、図８に示したフェムト基地局の通信部の動作の一例を示すフローチャートである。図１０において、図９に示したフェムト基地局４１２の初期設定はすでに行われているとする。フェムト基地局４１２の通信部８３０は、まず（ＳＴＡＲＴ）、局識別情報記憶部８４２に記憶された局識別情報を読み出す（ステップＳ１００１）。つぎに、記憶部８４０に記憶された回線識別情報を読み出す（ステップＳ１００２）。
【００９５】
ステップＳ１００２においては、たとえば、固定回線識別番号記憶部８４４に記憶された固定回線識別番号９２４と、ユーザ識別情報記憶部８４３に記憶されたユーザＩＤ９２５およびパスワード９２６と、を回線識別情報として読み出す。
【００９６】
つぎに、ステップＳ１００１によって読み出された局識別情報と、ステップＳ１００２によって読み出された回線識別情報と、を含む認証要求を固定回線Ｉ／Ｆ８１０から認証ＧＷ４３１へ送信する（ステップＳ１００３）。ステップＳ１００３においては、たとえば、通信部８３０は、アドレス記憶部８４１からＧＷ  ＩＰアドレス９２３を読み出し、読み出したＧＷ  ＩＰアドレス９２３を宛先として認証要求を送信する。
【００９７】
つぎに、ステップＳ１００３によって送信した認証要求に対する肯定応答または否定応答を認証ＧＷ４３１から固定回線Ｉ／Ｆ８１０を介して受信したか否かを判断し（ステップＳ１００４）、受信するまで待つ（ステップＳ１００４：Ｎｏのループ）。肯定応答または否定応答を受信すると（ステップＳ１００４：Ｙｅｓ）、受信した応答が肯定応答であるか否かを判断する（ステップＳ１００５）。
【００９８】
ステップＳ１００５において、受信した応答が否定応答である場合（ステップＳ１００５：Ｎｏ）は、エラーメッセージを出力し（ステップＳ１００６）、一連の動作を終了する（ＥＮＤ）。ステップＳ１００６においては、たとえば、フェムト基地局４１２の図示しないユーザＩ／Ｆによりエラーメッセージをユーザに対して出力する。
【００９９】
ステップＳ１００５において、受信した応答が肯定応答である場合（ステップＳ１００５：Ｙｅｓ）は、ＩＰアドレスを要求する旨のＩＰアドレス要求を、固定回線Ｉ／Ｆ８１０から認証ＧＷ４３１へ送信する（ステップＳ１００７）。つぎに、ＩＰアドレスを認証ＧＷ４３１から固定回線Ｉ／Ｆ８１０を介して受信したか否かを判断し（ステップＳ１００８）、受信するまで待つ（ステップＳ１００８：Ｎｏのループ）。
【０１００】
ステップＳ１００８において、ＩＰアドレスを受信すると（ステップＳ１００８：Ｙｅｓ）、受信したＩＰアドレスをフェムト基地局４１２のＩＰアドレスとして設定する（ステップＳ１００９）。具体的には、受信したＩＰアドレスを自局のＩＰアドレスとしてアドレス記憶部８４１に記憶する。つぎに、移動端末４１１と移動通信事業者網４３０の間の通信の中継動作を開始し（ステップＳ１０１０）、一連の動作を終了する（ＥＮＤ）。
【０１０１】
（認証ＧＷの具体例）
図１１は、図４に示した認証ＧＷの具体的な構成例を示すブロック図である。図１１に示すように、認証ＧＷ４３１は、固定回線Ｉ／Ｆ１１１０と、移動通信網Ｉ／Ｆ１１２０と、通信部１１３０と、記憶部１１４０と、を備えている。固定回線Ｉ／Ｆ１１１０は、ＡＧＷ４２２との通信を行うインターフェースである。移動通信網Ｉ／Ｆ１１２０は、認証サーバ４３３やＧＷ４３２と通信を行うインターフェースである。
【０１０２】
通信部１１３０は、固定回線Ｉ／Ｆ１１１０を介して固定回線事業者網４２０と通信を行う。また、通信部１１３０は、移動通信網Ｉ／Ｆ１１２０を介して認証サーバ４３３と通信を行う。また、通信部１１３０は、移動通信網Ｉ／Ｆ１１２０を介してＧＷ４３２と通信を行う。また、通信部１１３０は、固定回線Ｉ／Ｆ１１１０および移動通信網Ｉ／Ｆ１１２０を介して移動端末４１１と移動通信事業者網４３０との間の通信を中継する。
【０１０３】
記憶部１１４０は、局識別情報と回線識別情報とを対応付けた認証情報を記憶している。また、記憶部１１４０は、局識別情報および回線識別情報の少なくとも一方と、位置情報と、を対応付けた対応情報と、を記憶している。たとえば、記憶部１１４０は、回線識別情報と、局識別情報と、位置情報と、を対応付けたテーブルを記憶している。
【０１０４】
図１２は、図１１に示した記憶部に記憶されるテーブルの一例を示す図である。認証ＧＷ４３１の記憶部１１４０（図１１参照）は、認証情報および対応情報を管理するテーブルとして、たとえば図１２に示すテーブル１２００を記憶している。テーブル１２００においては、回線識別情報１２１０と、局識別情報１２２０と、割当ＩＰアドレス１２３０と、位置情報１２４０と、が対応付けられている。
【０１０５】
回線識別情報１２１０には、ユーザＩＤ１２１１と、パスワード１２１２と、固定回線識別番号１２１３と、が含まれている。回線識別情報１２１０および位置情報１２４０は、たとえば、フェムト基地局４１２のユーザの家庭またはオフィスへ固定回線を敷設した際に決定された情報である。固定回線識別番号１２１３は、たとえば、敷設した固定回線が電話回線である場合の電話番号である。位置情報１２４０は、たとえば、固定回線を敷設した家庭やオフィスの緯度経度や住所を示す情報である。
【０１０６】
図１３は、図１１に示した認証ＧＷの通信部の動作の一例を示すフローチャートである。認証ＧＷ４３１の通信部１１３０は、まず（ＳＴＡＲＴ）、フェムト基地局４１２から送信された認証要求をＡＧＷ４２２から受信したか否かを判断する（ステップＳ１３０１）。そして、フェムト基地局４１２から送信された認証要求を受信するまで待つ（ステップＳ１３０１：Ｎｏのループ）。
【０１０７】
ステップＳ１３０１において認証要求を受信すると（ステップＳ１３０１：Ｙｅｓ）、認証サーバ４３３から認証情報を取得する（ステップＳ１３０２）。ステップＳ１３０２において、たとえば、図１２に示したテーブル１２００が認証サーバ４３３に記憶されているとする。そして、通信部１１３０が認証サーバ４３３からテーブル１２００を受信し、受信した認証情報を記憶部１１４０に記憶する。
【０１０８】
つぎに、ステップＳ１３０１によって取得した認証要求に含まれる局識別情報と回線識別情報との対応が、ステップＳ１３０２によって取得した認証情報の対応付けと一致するか否かを判断する（ステップＳ１３０３）。具体的には、記憶部１１４０に記憶されたテーブル１２００の局識別情報１２２０および回線識別情報１２１０の対応付けを読み出す。そして、読み出した局識別情報１２２０および回線識別情報１２１０の対応付けと、認証要求に含まれる局識別情報と回線識別情報との対応が一致しているか否かを判断する。
【０１０９】
ステップＳ１３０３において、取得した認証情報の対応付けと一致しない場合（ステップＳ１３０３：Ｎｏ）は、フェムト基地局４１２に対する否定応答をＡＧＷ４２２へ送信し（ステップＳ１３０４）、一連の動作を終了する（ＥＮＤ）。ＡＧＷ４２２へ送信された否定応答は、ＡＧＷ４２２の中継によってフェムト基地局４１２へ送信される。
【０１１０】
ステップＳ１３０３において、取得した認証情報の対応付けと一致する場合（ステップＳ１３０３：Ｙｅｓ）は、フェムト基地局４１２に対する肯定応答をＡＧＷ４２２へ送信する（ステップＳ１３０５）。ＡＧＷ４２２へ送信された肯定応答は、ＡＧＷ４２２の中継によってフェムト基地局４１２へ送信される。
【０１１１】
つぎに、フェムト基地局４１２から送信されたＩＰアドレス要求をＡＧＷ４２２から受信したか否かを判断し（ステップＳ１３０６）、ＩＰアドレス要求を受信するまで待つ（ステップＳ１３０６：Ｎｏのループ）。
【０１１２】
ステップＳ１３０６においてＩＰアドレス要求を受信すると（ステップＳ１３０６：Ｙｅｓ）、フェムト基地局４１２に割り当てられたＩＰアドレスをＡＧＷ４２２へ送信する（ステップＳ１３０７）。ＡＧＷ４２２へ送信されたＩＰアドレスは、ＡＧＷ４２２の中継によってフェムト基地局４１２へ送信される。
【０１１３】
つぎに、ステップＳ１３０７によって送信したＩＰアドレスを認証サーバ４３３へ送信し（ステップＳ１３０８）、一連の動作を終了する（ＥＮＤ）。ステップＳ１３０８によって送信されたＩＰアドレスは、認証サーバ４３３において登録される。
【０１１４】
具体的には、認証サーバ４３３は、認証ＧＷ４３１へ送信するためのテーブル１２００を記憶している。そして、認証サーバ４３３は、認証ＧＷ４３１からフェムト基地局４１２のＩＰアドレスを受信すると、受信したＩＰアドレスを、回線識別情報１２１０および局識別情報１２２０と対応付けて割当ＩＰアドレス１２３０として記憶する。
【０１１５】
なお、ここでは、認証ＧＷ４３１が、認証サーバ４３３から認証情報としてテーブル１２００を取得する方法について説明したが、認証情報を取得する方法はこれに限らない。具体的には、認証ＧＷ４３１が、受信した認証要求に含まれていた局識別情報および回線識別情報の少なくとも一方を認証情報要求とともに認証サーバ４３３へ送信し、送信した情報に対応する認証情報を認証サーバ４３３から受信するようにしてもよい。
【０１１６】
たとえば、認証ＧＷ４３１は、受信した認証要求に含まれていた回線識別情報を認証情報要求とともに認証サーバ４３３へ送信するようにしてもよい。認証ＧＷ４３１が認証サーバ４３３へ回線識別情報を送信する場合は、認証サーバ４３３は、認証サーバ４３３に記憶されたテーブル１２００において、認証ＧＷ４３１から受信した回線識別情報に対応付けられている局識別情報１２２０を読み出す。そして、認証サーバ４３３は、読み出した局識別情報１２２０を認証情報として認証ＧＷ４３１へ送信する。
【０１１７】
または、認証ＧＷ４３１は、受信した認証要求に含まれていた局識別情報を認証情報要求とともに認証サーバ４３３へ送信するようにしてもよい。認証ＧＷ４３１が認証サーバ４３３へ局識別情報を送信する場合は、認証サーバ４３３は、認証サーバ４３３に記憶されたテーブル１２００において、認証ＧＷ４３１から受信した局識別情報１２２０に対応付けられている回線識別情報１２１０を読み出す。そして、認証サーバ４３３は、読み出した回線識別情報１２１０を認証情報として認証ＧＷ４３１へ送信する。
【０１１８】
（通信システムの具体的な動作例）
図１４は、図４に示した通信システムの具体的な動作例を示すシーケンス図である。まず、ＡＤＳＬモデム４１３の電源をＯＮにすると（ステップＳ１４０１）、ＡＤＳＬモデム４１３がＤＳＬＡＭ４２１とＡＤＳＬ接続を確立する（ステップＳ１４０２）。つぎに、フェムト基地局４１２の電源をＯＮにすると（ステップＳ１４０３）、フェムト基地局４１２が、開始メッセージをブロードキャストする（ステップＳ１４０４）。
【０１１９】
ステップＳ１４０４によってブロードキャストされる開始メッセージは、たとえば、ＰＰＰｏＥサーバを探索するためのＰＡＤＩ（ＰＰＰｏＥ  Ａｃｔｉｖｅ  Ｄｉｓｃｏｖｅｒｙ  Ｉｎｉｔｉａｔｉｏｎ）パケットである。ステップＳ１４０４によってブロードキャストされた開始メッセージはＡＧＷ４２２によって受信される。
【０１２０】
つぎに、ＡＧＷ４２２が、オファーメッセージをフェムト基地局４１２へ送信する（ステップＳ１４０５）。ステップＳ１４０５によって送信されるオファーメッセージは、たとえば、ＰＡＤＯ（ＰＰＰｏＥ  Ａｃｔｉｖｅ  Ｄｉｓｃｏｖｅｒｙ  Ｏｆｆｅｒ）パケットである。つぎに、フェムト基地局４１２がセッション開始要求をＡＧＷ４２２へ送信する（ステップＳ１４０６）。ステップＳ１４０６によって送信される開始要求は、たとえば、セッションを開始すべき旨のＰＡＤＲ（ＰＰＰｏＥ  Ａｃｔｉｖｅ  Ｄｉｓｃｏｖｅｒｙ  Ｒｅｑｕｅｓｔ）パケットである。
【０１２１】
つぎに、ＡＧＷ４２２が、フェムト基地局４１２との間で確立するＰＰＰｏＥセッションのセッションＩＤを、たとえばＰＡＤＯによってフェムト基地局４１２へ送信する（ステップＳ１４０７）。つぎに、フェムト基地局４１２とＡＧＷ４２２が、ＰＰＰセッションを開始し、認証方法などのネゴシエーションを、たとえばＬＣＰ（Ｌｉｎｋ  Ｃｏｎｔｒｏｌ  Ｐｒｏｔｏｃｏｌ）によって行う（ステップＳ１４０８）。
【０１２２】
つぎに、フェムト基地局４１２が、局識別情報および回線識別情報を含む認証要求をＡＧＷ４２２へ送信する（ステップＳ１４０９）。つぎに、ＡＧＷ４２２が、ステップＳ１４０９によって送信された認証要求を認証ＧＷ４３１へ送信する（ステップＳ１４１０）。つぎに、認証ＧＷ４３１が、認証情報を送信すべき旨の認証情報要求を認証サーバ４３３へ送信する（ステップＳ１４１１）。
【０１２３】
つぎに、認証サーバ４３３が、認証情報を認証ＧＷ４３１へ送信する（ステップＳ１４１２）。つぎに、認証ＧＷ４３１が、ステップＳ１４１０によって送信された認証要求に含まれる局識別情報と回線識別情報との対応が、ステップＳ１４１２によって送信された認証情報の対応付けと一致するか否かを判断する（ステップＳ１４１３）。ここでは、ステップＳ１４１３において、局識別情報と回線識別情報との対応が、ステップＳ１４１２によって送信された認証情報の対応付けと一致したとする。
【０１２４】
つぎに、認証ＧＷ４３１が、フェムト基地局４１２に対する肯定応答をＡＧＷ４２２へ送信する（ステップＳ１４１４）。つぎに、ＡＧＷ４２２が、ステップＳ１４１４によって送信された肯定応答をフェムト基地局４１２へ送信する（ステップＳ１４１５）。つぎに、フェムト基地局４１２が、ＩＰアドレス要求をＡＧＷ４２２へ送信する（ステップＳ１４１６）。つぎに、ＡＧＷ４２２が、ステップＳ１４１６によって送信されたＩＰアドレス要求を認証ＧＷ４３１へ送信する（ステップＳ１４１７）。
【０１２５】
つぎに、認証ＧＷ４３１が、フェムト基地局４１２に割り当てられたＩＰアドレスを認証サーバ４３３へ送信する（ステップＳ１４１８）。ステップＳ１４１８によって送信されたＩＰアドレスは、局識別情報と回線識別情報と対応付けて認証サーバ４３３において登録される。つぎに、認証ＧＷ４３１が、フェムト基地局４１２に割り当てられたＩＰアドレスをＡＧＷ４２２へ送信する（ステップＳ１４１９）。
【０１２６】
つぎに、ＡＧＷ４２２が、ステップＳ１４１９によって送信されたＩＰアドレスをフェムト基地局４１２へ送信する（ステップＳ１４２０）。ステップＳ１４２０によるＩＰアドレスの送信は、たとえば、ＩＰＣＰ（Ｉｎｔｅｒｎｅｔ  Ｐｒｏｔｏｃｏｌ  Ｃｏｎｔｒｏｌ  Ｐｒｏｔｏｃｏｌ）プロトコルによって行われる。つぎに、フェムト基地局４１２と認証ＧＷ４３１が、互いにＩＰパケット送受信を開始し（ステップＳ１４２１）、一連の動作を終了する。
【０１２７】
このように、実施の形態３にかかる通信システム４００は、局識別情報と回線識別情報をフェムト基地局４１２から認証ＧＷ４３１へ送信し、認証ＧＷ４３１が局識別情報と回線識別情報との対応を認証する。これにより、フェムト基地局４１２がユーザによって正しい固定回線に接続されているかを認証ＧＷ４３１で確認することができる。このため、たとえば、ユーザが契約していない固定回線にフェムト基地局４１２が接続されたことを業者側で把握することができる。
【０１２８】
また、無線基地局１１０と通信サーバ１２０との通信開始時の、ＰＰＰセッションを確立するための認証処理において局識別情報および回線識別情報をフェムト基地局４１２から認証ＧＷ４３１へ送信するようにしてもよい。これにより、フェムト基地局４１２がユーザによって不正な固定回線に接続されたことを迅速に検出することができる。
【０１２９】
（実施の形態４）
（通信システムの構成）
図１５は、実施の形態４にかかる通信システムの構成を示すブロック図である。図１５において、図４に示した構成と同様の構成については同一の符号を付して説明を省略する。図１５に示すように、実施の形態４においては、建物４１０の中には、フェムト基地局４１２およびＡＤＳＬモデム４１３に加えてＢＢＲ１５１０（ＢｒｏａｄＢａｎｄ  Ｒｏｕｔｅｒ：ブロードバンドルータ）が設けられている。
【０１３０】
フェムト基地局４１２およびＢＢＲ１５１０は、ユーザによって固定回線に接続可能な無線基地局である。ＢＢＲ１５１０は、たとえばＦａｓｔ  ＥｔｈｅｒによってＡＤＳＬモデム４１３と接続される。フェムト基地局４１２は、ＢＢＲ１５１０に接続されることにより、固定回線事業者網４２０が提供する固定回線に接続することができる。フェムト基地局４１２は、たとえばＦａｓｔ  ＥｔｈｅｒによってＢＢＲ１５１０と接続される。
【０１３１】
ＡＤＳＬモデム４１３は、ＢＢＲ１５１０が使用するＥｔｈｅｒｎｅｔプロトコルと、固定回線事業者網４２０が使用するＡＤＳＬプロトコルと、を変換することにより、ＢＢＲ１５１０と固定回線事業者網４２０との間の通信を中継する。
【０１３２】
ＡＧＷ４２２は、ユーザＩＤと、パスワードと、回線識別番号と、を対応付けたテーブルを記憶している。ＡＧＷ４２２は、ユーザＩＤおよびパスワードを含む認証要求をＢＢＲ１５１０から受信すると、受信した認証要求に含まれるユーザＩＤとパスワードとの対応が、記憶しているテーブルの対応と一致するか否かを判断する。
【０１３３】
そして、ユーザＩＤとパスワードとの対応がテーブルの対応と一致した場合は、ＡＧＷ４２２は、受信した認証要求に含まれるユーザＩＤおよびパスワードと、固定回線識別番号と、を回線識別情報として含む認証要求を認証ＧＷ４３１へ送信する。ＡＧＷ４２２によって送信される認証要求に含まれる固定回線識別番号は、ＡＧＷ４２２が記憶しているテーブルにおいて、受信した認証要求に含まれるユーザＩＤおよびパスワードと対応付けられた回線識別番号である。
【０１３４】
図１５に示した通信システム４００の動作例は、図５〜図７に示した動作例１〜３と同様であるため説明を省略する。また、図１５に示したフェムト基地局４１２の具体的な構成例は、図８に示した構成と同様であるため説明を省略する。
【０１３５】
（フェムト基地局およびＢＢＲの具体例）
図１６は、図１５に示したフェムト基地局およびＢＢＲの初期設定を示す図である。図１６において、図９に示した部分と同様の部分については同一の符号を付して説明を省略する。まず、ＰＣ９１０からフェムト基地局４１２へ、ＭＡＣアドレス９２１、局識別情報９２２およびＧＷ  ＩＰアドレス９２３を入力する。
【０１３６】
また、ＢＢＲ１５１０の初期設定は、たとえば、ＢＢＲ１５１０にＰＣ１６１０を接続し、接続したＰＣ１６１０から行う。たとえば、ＰＣ１６１０からＢＢＲ１５１０へ、ユーザＩＤ９２５およびパスワード９２６を入力する。ＢＢＲ１５１０へ入力されたユーザＩＤ９２５およびパスワード９２６はＢＢＲ１５１０のメモリ（不図示）に記憶される。
【０１３７】
図１７は、図１５に示したＢＢＲの動作の一例を示すフローチャートである。図１７において、図１６に示したフェムト基地局４１２およびＢＢＲ１５１０の初期設定はすでに行われているとする。ＢＢＲ１５１０は、まず（ＳＴＡＲＴ）、メモリに記憶されたユーザＩＤおよびパスワードを読み出す（ステップＳ１７０１）。
【０１３８】
つぎに、ステップＳ１７０１によって読み出されたユーザＩＤおよびパスワードを回線識別情報として含む認証要求をＡＧＷ４２２へ送信する（ステップＳ１７０２）。送信された認証情報がＡＧＷ４２２へ送信されると、ＡＧＷ４２２が、受信した認証情報に含まれているユーザＩＤおよびパスワードと、ユーザＩＤおよびパスワードに対応付けられた固定回線識別番号と、を含む認証要求を認証ＧＷ４３１へ送信する。
【０１３９】
つぎに、ステップＳ１７０３によって送信した認証要求に対する肯定応答または否定応答を認証ＧＷ４３１から受信したか否かを判断し（ステップＳ１７０３）、受信するまで待つ（ステップＳ１７０３：Ｎｏのループ）。肯定応答または否定応答を受信すると（ステップＳ１７０３：Ｙｅｓ）、受信した応答が肯定応答であるか否かを判断する（ステップＳ１７０４）。受信した応答が否定応答である場合（ステップＳ１７０４：Ｎｏ）は、エラーメッセージを出力し（ステップＳ１７０５）、一連の動作を終了する（ＥＮＤ）。
【０１４０】
ステップＳ１７０５においては、たとえば、ＢＢＲ１５１０の図示しないユーザＩ／Ｆによりエラーメッセージをユーザに対して出力する。ステップＳ１７０４において、受信した応答が肯定応答である場合（ステップＳ１７０４：Ｙｅｓ）は、ＢＢＲ１５１０に割り当てられるＩＰアドレスを要求する旨のＩＰアドレス要求を認証ＧＷ４３１へ送信する（ステップＳ１７０６）。
【０１４１】
つぎに、ＩＰアドレスを認証ＧＷ４３１から受信したか否かを判断し（ステップＳ１７０７）、受信するまで待つ（ステップＳ１７０７：Ｎｏのループ）。ＩＰアドレスを受信すると（ステップＳ１７０７：Ｙｅｓ）、受信したＩＰアドレスをＢＢＲ１５１０のＩＰアドレスとして設定する（ステップＳ１７０８）。
【０１４２】
つぎに、フェムト基地局４１２に割り当てるローカルアドレスを、たとえばＤＨＣＰ（Ｄｙｎａｍｉｃ  Ｈｏｓｔ  Ｃｏｎｆｉｇｕｒａｔｉｏｎ  Ｐｒｏｔｏｃｏｌ）によって取得する（ステップＳ１７０９）。つぎに、ステップＳ１７０９によって取得されたローカルアドレスをフェムト基地局４１２へ送信する（ステップＳ１７１０）。
【０１４３】
つぎに、フェムト基地局４１２と認証ＧＷ４３１との間の通信の中継動作を開始し（ステップＳ１７１１）、一連の動作を終了する（ＥＮＤ）。具体的には、ステップＳ１７１１において、ＢＢＲ１５１０は、フェムト基地局４１２、ＢＢＲ１５１０の間で用いるローカルアドレスと、ＢＢＲ１５１０、認証ＧＷ４３１の間で用いるＩＰアドレスと、を相互に変換する。これにより、ＢＢＲ１５１０は、フェムト基地局４１２と認証ＧＷ４３１との間の通信を中継する。
【０１４４】
図１８は、図１５に示したフェムト基地局の動作の一例を示すフローチャートである。図１８において、図１６に示したフェムト基地局４１２の初期設定はすでに行われているとする。フェムト基地局４１２の通信部８３０は、まず（ＳＴＡＲＴ）、フェムト基地局４１２に割り当てられるローカルアドレスを要求する旨のローカルアドレス要求をＢＢＲ１５１０へ送信する（ステップＳ１８０１）。
【０１４５】
つぎに、ローカルアドレスをＢＢＲ１５１０から受信したか否かを判断し（ステップＳ１８０２）、受信するまで待つ（ステップＳ１８０２：Ｎｏのループ）。ローカルアドレスを受信すると（ステップＳ１８０２：Ｙｅｓ）、受信したローカルアドレスをフェムト基地局４１２のＩＰアドレスとして設定する（ステップＳ１８０３）。具体的には、受信したローカルアドレスを自局のＩＰアドレスとしてアドレス記憶部８４１に記憶する。
【０１４６】
つぎに、局識別情報記憶部８４２に記憶された局識別情報を読み出し（ステップＳ１８０４）、読み出した局識別情報を含む認証要求を認証ＧＷ４３１へ送信する（ステップＳ１８０５）。つぎに、ステップＳ１８０５によって送信した認証要求に対する肯定応答または否定応答を認証ＧＷ４３１から受信したか否かを判断し（ステップＳ１８０６）、受信するまで待つ（ステップＳ１８０６：Ｎｏのループ）。
【０１４７】
ステップＳ１８０６において、肯定応答または否定応答を受信すると（ステップＳ１８０６：Ｙｅｓ）、受信した応答が肯定応答であるか否かを判断する（ステップＳ１８０７）。受信した応答が否定応答である場合（ステップＳ１８０７：Ｎｏ）は、エラーメッセージを出力し（ステップＳ１８０８）、一連の動作を終了する（ＥＮＤ）。
【０１４８】
ステップＳ１８０８においては、たとえば、フェムト基地局４１２の図示しないユーザＩ／Ｆによりエラーメッセージをユーザに対して出力する。ステップＳ１８０７において、受信した応答が肯定応答である場合（ステップＳ１８０７：Ｙｅｓ）は、移動端末４１１と移動通信事業者網４３０との間の通信の中継動作を開始し（ステップＳ１８０９）、一連の動作を終了する（ＥＮＤ）。
【０１４９】
（認証ＧＷの具体例）
図１９は、図１５に示した認証ＧＷの通信部の動作の一例を示すフローチャートである。認証ＧＷ４３１の通信部１１３０は、まず（ＳＴＡＲＴ）、ＡＧＷ４２２から送信された認証要求を受信したか否かを判断し（ステップＳ１９０１）、認証要求を受信するまで待つ（ステップＳ１９０１：Ｎｏのループ）。
【０１５０】
ＡＧＷ４２２から送信される認証要求には、ユーザＩＤ、パスワードおよび固定回線識別番号を含む回線識別情報が含まれている。ステップＳ１９０１において、認証要求を受信すると（ステップＳ１９０１：Ｙｅｓ）、認証サーバ４３３から認証情報を取得する（ステップＳ１９０２）。ステップＳ１９０２の詳細については、図１３に示したステップＳ１３０２と同様であるため説明を省略する。
【０１５１】
つぎに、ステップＳ１９０１によって取得した認証要求に含まれるユーザＩＤ、パスワードおよび固定回線識別番号の対応が、ステップＳ１９０２によって取得した認証情報の対応付けと一致するか否かを判断する（ステップＳ１９０３）。具体的には、通信部１１３０は、記憶部１１４０に記憶されたテーブル１２００のユーザＩＤ１２１１、パスワード１２１２および固定回線識別番号１２１３の対応付けを読み出す。
【０１５２】
そして、通信部１１３０は、読み出したユーザＩＤ１２１１、パスワード１２１２および固定回線識別番号１２１３の対応付けと、認証要求に含まれるユーザＩＤ、パスワードおよび固定回線識別番号の対応と、が一致しているか否かを判断する。
【０１５３】
ステップＳ１９０３において、取得した認証情報の対応付けと一致しない場合（ステップＳ１９０３：Ｎｏ）は、ＢＢＲ１５１０に対する否定応答をＡＧＷ４２２へ送信し（ステップＳ１９０４）、一連の動作を終了する（ＥＮＤ）。ＡＧＷ４２２へ送信された否定応答は、ＡＧＷ４２２の中継によってＢＢＲ１５１０へ送信される。
【０１５４】
ステップＳ１９０３において、取得した認証情報の対応付けと一致する場合（ステップＳ１９０３：Ｙｅｓ）は、ＢＢＲ１５１０に対する肯定応答をＡＧＷ４２２へ送信する（ステップＳ１９０５）。ＡＧＷ４２２へ送信された肯定応答は、ＡＧＷ４２２の中継によってＢＢＲ１５１０へ送信される。
【０１５５】
つぎに、ＢＢＲ１５１０から送信されたＩＰアドレス要求をＡＧＷ４２２から受信したか否かを判断し（ステップＳ１９０６）、ＩＰアドレス要求を受信するまで待つ（ステップＳ１９０６：Ｎｏのループ）。ＩＰアドレス要求を受信すると（ステップＳ１９０６：Ｙｅｓ）、ＢＢＲ１５１０に割り当てられたＩＰアドレスをＡＧＷ４２２へ送信する（ステップＳ１９０７）。ＡＧＷ４２２へ送信されたＩＰアドレスは、ＡＧＷ４２２の中継によってＢＢＲ１５１０へ送信される。
【０１５６】
つぎに、ステップＳ１９０７によって送信したＩＰアドレスを認証サーバ４３３へ送信する（ステップＳ１９０８）。ステップＳ１９０８によって送信されたＩＰアドレスは、認証サーバ４３３において登録される。つぎに、フェムト基地局４１２から送信された認証要求をＡＧＷ４２２から受信したか否かを判断し（ステップＳ１９０９）、認証要求を受信するまで待つ（ステップＳ１９０９：Ｎｏのループ）。
【０１５７】
ステップＳ１９０９において認証要求を受信すると（ステップＳ１９０９：Ｙｅｓ）、ステップＳ１９１０へ移行する。ステップＳ１９１０〜Ｓ１９１３は、それぞれ図１３に示したステップＳ１３０２〜Ｓ１３０５と同様であるため説明を省略する。ステップＳ１９１２によって否定応答をＡＧＷ４２２へ送信し、またはステップＳ１９１３によって肯定応答をＡＧＷ４２２へ送信すると、一連の動作を終了する（ＥＮＤ）。
【０１５８】
（通信システムの具体的な動作例）
図２０−１は、図１５に示した通信システムの具体的な動作例を示すシーケンス図（その１）である。図２０−２は、図１５に示した通信システムの具体的な動作例を示すシーケンス図（その２）である。まず、図２０−１に示すように、ＡＤＳＬモデム４１３の電源をＯＮにすると（ステップＳ２００１）、ＡＤＳＬモデム４１３がＤＳＬＡＭ４２１とＡＤＳＬ接続を確立する（ステップＳ２００２）。
【０１５９】
つぎに、ＢＢＲ１５１０の電源をＯＮにすると（ステップＳ２００３）、ＢＢＲ１５１０が開始メッセージをブロードキャストする（ステップＳ２００４）。ステップＳ２００４によってブロードキャストされる開始メッセージは、たとえば、ＰＰＰｏＥサーバを探索するためのＰＡＤＩパケットである。ステップＳ２００４によってブロードキャストされた開始メッセージはＡＧＷ４２２によって受信される。
【０１６０】
つぎに、ＡＧＷ４２２が、オファーメッセージをＢＢＲ１５１０へ送信する（ステップＳ２００５）。ステップＳ２００５によって送信されるオファーメッセージは、たとえば、ＰＡＤＯパケットである。つぎに、ＢＢＲ１５１０がセッション開始要求をＡＧＷ４２２へ送信する（ステップＳ２００６）。ステップＳ２００６によって送信される開始要求は、たとえば、セッションを開始すべき旨のＰＡＤＲパケットである。
【０１６１】
つぎに、ＡＧＷ４２２が、ＢＢＲ１５１０との間で確立するＰＰＰｏＥセッションのセッションＩＤをＢＢＲ１５１０へ送信する（ステップＳ２００７）。ステップＳ２００７においては、たとえば、ＰＡＤＯによってセッションＩＤが送信される。
【０１６２】
つぎに、ＢＢＲ１５１０とＡＧＷ４２２が、ＰＰＰセッションを開始し、認証方法などのネゴシエーションを行う（ステップＳ２００８）。ステップＳ２００８によって行われるネゴシエーションは、たとえば、ＬＣＰによって行われる。
【０１６３】
つぎに、ＢＢＲ１５１０が、ユーザＩＤおよびパスワードを回線識別情報として含む認証要求をＡＧＷ４２２へ送信する（ステップＳ２００９）。つぎに、ＡＧＷ４２２が、ステップＳ２００９によって送信された認証要求に含まれるユーザＩＤに対応する固定回線識別番号を、自装置が記憶しているテーブルから抽出する（ステップＳ２０１０）。
【０１６４】
つぎに、ＡＧＷ４２２が、ステップＳ２００９によって送信された認証要求に含まれるユーザＩＤおよびパスワードと、ステップＳ２０１０によって抽出された固定回線識別番号と、を回線識別情報として含む認証要求を認証ＧＷ４３１へ送信する（ステップＳ２０１１）。図２０−１に示すステップＳ２０１２〜Ｓ２０１５は、図１４に示したステップＳ１４１１〜Ｓ１４１４と同様であるため説明を省略する。
【０１６５】
ステップＳ２０１５のつぎに、ＡＧＷ４２２が、ステップＳ２０１５によって送信された肯定応答をＢＢＲ１５１０へ送信する（ステップＳ２０１６）。つぎに（図２０−２へ移行）、ＢＢＲ１５１０が、ＩＰアドレス要求をＡＧＷ４２２へ送信する（ステップＳ２０１７）。図２０−２に示すステップＳ２０１８〜Ｓ２０２０は、図１４に示したステップＳ１４１７〜Ｓ１４１９と同様であるため説明を省略する。
【０１６６】
ステップＳ２０２０のつぎに、ＡＧＷ４２２が、ステップＳ２０２０によって送信されたＩＰアドレスをＢＢＲ１５１０へ送信する（ステップＳ２０２１）。ステップＳ２０２１によるＩＰアドレスの送信は、たとえば、ＩＰＣＰプロトコルによって行われる。つぎに、フェムト基地局４１２の電源をＯＮにすると（ステップＳ２０２２）、フェムト基地局４１２が、ローカルアドレスを送信すべき旨のローカルアドレス要求をＢＢＲ１５１０へ送信する（ステップＳ２０２３）。
【０１６７】
つぎに、ＢＢＲ１５１０が、たとえばＤＨＣＰによって取得したローカルアドレスをフェムト基地局４１２へ送信する（ステップＳ２０２４）。つぎに、フェムト基地局４１２と認証ＧＷ４３１が、互いにＩＰパケット送受信を開始する（ステップＳ２０２５）。つぎに、フェムト基地局４１２が、局識別情報を含む認証要求を認証ＧＷ４３１へ送信する（ステップＳ２０２６）。
【０１６８】
つぎに、認証ＧＷ４３１が、認証情報を送信すべき旨の認証情報要求を認証サーバ４３３へ送信する（ステップＳ２０２７）。つぎに、認証サーバ４３３が、認証情報を認証ＧＷ４３１へ送信する（ステップＳ２０２８）。つぎに、認証ＧＷ４３１が、ステップＳ２０１１によって送信された認証要求に含まれる回線識別情報と、ステップＳ２０２６によって送信された認証要求に含まれる局識別情報と、の対応を取得する。
【０１６９】
そして、認証ＧＷ４３１は、取得した対応が、ステップＳ２０１２によって送信された認証情報の対応付けと一致するか否かを判断する（ステップＳ２０２９）。ここでは、局識別情報と回線識別情報との対応が、認証情報の対応付けと一致したとする。つぎに、認証ＧＷ４３１が、フェムト基地局４１２に対する肯定応答をフェムト基地局４１２へ送信し（ステップＳ２０３０）、一連の動作を終了する。
【０１７０】
このように、実施の形態４にかかる通信システム４００によれば、回線識別情報をＢＢＲ１５１０から認証ＧＷ４３１へ送信し、局識別情報をフェムト基地局４１２から認証ＧＷ４３１へ送信する。そして、認証ＧＷ４３１が局識別情報と回線識別情報との対応を認証する。これにより、フェムト基地局４１２が、ＢＢＲ１５１０を介してＤＳＬＡＭ４２１に接続可能な場合であってもフェムト基地局４１２がユーザによって正しい固定回線に接続されているかを認証ＧＷ４３１で確認することができる。
【０１７１】
（実施の形態５）
（通信システムの構成）
図２１は、実施の形態５にかかる通信システムの構成を示すブロック図である。図２１において、図４に示した構成と同様の構成については同一の符号を付して説明を省略する。図２１に示すように、実施の形態５にかかる通信システム４００は、図４に示した構成に加えてＩＳＰ網２１２０を含んでいる。フェムト基地局４１２は、固定回線事業者網４２０およびＩＳＰ網２１２０を介して移動通信事業者網４３０と通信を行う。
【０１７２】
ＩＳＰ網２１２０は、ＩＳＰ認証ＧＷ２１２１と、ＩＳＰ  ＧＷ２１２２と、ＩＳＰ  ＧＷ２１２３と、認証サーバ２１２４と、を含んでいる。ＩＳＰ認証ＧＷ２１２１は、固定回線事業者網４２０に含まれているＧＷ２１１１と接続されており、ＩＳＰ網２１２０と固定回線事業者網４２０との間の通信の制御および通信の中継を行う。
【０１７３】
ＩＳＰ  ＧＷ２１２２は、移動通信事業者網４３０と接続されており、ＩＳＰ網２１２０と移動通信事業者網４３０の間の通信の制御および通信の中継を行う。ＩＳＰ  ＧＷ２１２３は、ネットワーク４４０と接続されており、固定回線事業者網４２０とネットワーク４４０との間の通信の制御および通信の中継を行う。
【０１７４】
認証サーバ２１２４には、フェムト基地局４１２の局識別情報と、フェムト基地局４１２が事前の契約などにより接続されるべき固定回線の回線識別情報と、をあらかじめ対応付けた認証情報が記憶されている。認証サーバ２１２４は、ＩＳＰ認証ＧＷ２１２１からの認証情報要求に応じて認証情報をＩＳＰ認証ＧＷ２１２１へ送信する。
【０１７５】
なお、ここでは、認証情報の認証をＩＳＰ網２１２０において行うため、移動通信事業者網４３０の認証サーバ４３３は認証情報を記憶していなくてもよい。ただし、移動通信事業者網４３０の認証サーバ４３３には、位置情報の対応情報が記憶されているとする。
【０１７６】
図２２は、図２１に示したＩＳＰ網の認証サーバに記憶されるテーブルの一例を示す図である。ＩＳＰ網２１２０のＩＳＰ  ＧＷ２１２２（図２１参照）は、認証情報を管理するテーブルとして、たとえば図２２に示すテーブル２２００を記憶している。テーブル２２００においては、回線識別情報２２１０と、局識別情報２２２０と、割当ＩＰアドレス２２３０と、が対応付けられている。回線識別情報２２１０には、ユーザＩＤ２２１１と、パスワード２２１２と、固定回線識別番号２２１３と、が含まれている。
【０１７７】
図２３は、図２１に示した移動通信事業者網の認証サーバに記憶されるテーブルの一例を示す図である。移動通信事業者網４３０の認証ＧＷ４３１（図２１参照）は、対応情報を管理するテーブルとして、たとえば図２３に示すテーブル２３００を記憶部１１４０に記憶している。テーブル２３００においては、局識別情報２３１０と、割当ＩＰアドレス２３２０と、位置情報２３３０と、が対応付けられている。
【０１７８】
（通信システムの動作）
図２４は、図２１に示した通信システムにおける動作例１を示すシーケンス図である。まず、フェムト基地局４１２の電源をＯＮにすると、フェムト基地局４１２が、ＤＳＬＡＭ４２１との間でＡＤＳＬ接続を確立する（ステップＳ２４０１）。つぎに、フェムト基地局４１２が、ＤＳＬＡＭ４２１を介してＩＳＰ認証ＧＷ２１２１にアクセスし、ＩＳＰ認証ＧＷ２１２１との間でＰＰＰｏＥセッションを確立する（ステップＳ２４０２）。
【０１７９】
つぎに、フェムト基地局４１２が、ＩＳＰ認証ＧＷ２１２１との間でＬＣＰのリンクを確立する（ステップＳ２４０３）。つぎに、フェムト基地局４１２が、ＩＳＰ認証ＧＷ２１２１へ認証要求を送信する（ステップＳ２４０４）。ステップＳ２４０４によって送信される認証要求には、フェムト基地局４１２が接続された固定回線を示す固定回線識別番号と、固定回線識別番号に対応付けられたユーザＩＤおよびパスワードが含まれている。
【０１８０】
つぎに、ＩＳＰ認証ＧＷ２１２１が、認証情報要求を認証サーバ２１２４へ送信する（ステップＳ２４０５）。つぎに、認証サーバ２１２４が、ＩＳＰ認証ＧＷ２１２１へ認証情報を送信する（ステップＳ２４０６）。つぎに、ＩＳＰ認証ＧＷ２１２１が、ステップＳ２４０４によって送信された認証要求に含まれていた固定回線識別番号、ユーザＩＤとパスワードとの対応が、ステップＳ２４０６によって送信された認証情報の対応付けと一致するか否かの認証を行う（ステップＳ２４０７）。
【０１８１】
ここでは、ステップＳ２４０７において、認証要求に含まれていた固定回線識別番号、ユーザＩＤとパスワードとの対応が認証情報の対応付けと一致したとする。つぎに、ＩＳＰ認証ＧＷ２１２１が、フェムト基地局４１２へ肯定応答を送信する（ステップＳ２４０８）。また、ＩＳＰ認証ＧＷ２１２１が、フェムト基地局４１２に割り当てたＩＰアドレスを認証ＧＷ４３１へ送信する（ステップＳ２４０９）。
【０１８２】
ステップＳ２４０９によって送信されたＩＰアドレスは、認証サーバ４３３において登録される。具体的には、認証サーバ４３３は、ステップＳ２４０９によって送信されたＩＰアドレスを、割当ＩＰアドレス２３２０として記憶部１１４０に記憶する。
【０１８３】
つぎに、フェムト基地局４１２とＩＳＰ認証ＧＷ２１２１が、ネットワークレイヤプロトコルによりＰＰＰセッションを確立する（ステップＳ２４１０）。つぎに、フェムト基地局４１２と認証ＧＷ４３１が、互いにＩＰパケットの送受信を開始する（ステップＳ２４１１）。つぎに、フェムト基地局４１２が、認証要求を認証ＧＷ４３１へ送信する（ステップＳ２４１２）。ステップＳ２４１２によって送信される認証要求には、フェムト基地局４１２の局識別情報が含まれている。
【０１８４】
つぎに、認証ＧＷ４３１が、認証情報を送信すべき旨の認証情報要求を認証サーバ４３３へ送信する（ステップＳ２４１３）。つぎに、認証サーバ４３３が、認証ＧＷ４３１へ認証情報を送信する（ステップＳ２４１４）。つぎに、認証ＧＷ４３１が、ステップＳ２４０９によって送信されたＩＰアドレスと、ステップＳ２４１２によって送信された認証要求に含まれる局識別情報と、の対応を取得する。
【０１８５】
そして、認証ＧＷ４３１は、取得した対応が、ステップＳ２４１４によって送信された認証情報の対応付けと一致するか否かの認証を行う（ステップＳ２４１５）。ここでは、ＩＰアドレスと局識別情報の対応が認証情報の対応付けと一致したとする。
【０１８６】
つぎに、認証ＧＷ４３１が、フェムトセル開始指示をフェムト基地局４１２へ送信する（ステップＳ２４１６）。つぎに、フェムト基地局４１２が、フェムトセルの動作を開始し（ステップＳ２４１７）、一連の動作を終了する。具体的には、フェムト基地局４１２は、移動端末４１１と移動通信事業者網４３０との間の通信を中継する動作を開始する。
【０１８７】
図２５は、図２１に示した通信システムにおける動作例２を示すシーケンス図である。図２５に示すステップＳ２５０１〜Ｓ２５１５は、図２４に示したステップＳ２４０１〜Ｓ２４１５と同様であるため説明を省略する。ただし、ステップＳ２５１５において、認証要求に含まれていた局識別情報と回線識別情報との対応が、ステップＳ２５１４によって送信された認証情報の対応付けと不一致であったとする。
【０１８８】
局識別情報と回線識別情報との対応が認証情報の対応付けと不一致であった場合は、認証ＧＷ４３１が、フェムト基地局４１２へ否定応答を送信し（ステップＳ２５１６）、一連の動作を終了する。この場合は、フェムト基地局４１２と認証ＧＷ４３１の間でＰＰＰセッションは確立されず、フェムト基地局４１２によるフェムトセルの動作も開始されない。したがって、移動端末４１１が、フェムト基地局４１２の中継による移動通信事業者網４３０との間の通信を行うことができないようにすることができる。
【０１８９】
図２６は、図２１に示した通信システムにおける動作例３を示すシーケンス図である。図２６に示すステップＳ２６０１〜Ｓ２６０８は、図７に示したステップＳ７０１〜Ｓ７０８と同様であるため説明を省略する。ただし、ステップＳ２６０１における緊急呼接続要求の送信、ステップＳ２６０７の肯定応答の送信およびステップＳ２６０８の緊急呼接続は、ＩＳＰ網２１２０を介して行われる。
【０１９０】
このように、実施の形態５にかかる、通信システム４００によれば、フェムト基地局４１２からＩＳＰ認証ＧＷ２１２１へ回線識別情報を送信し、ＩＳＰ認証ＧＷ２１２１が局識別情報に含まれるユーザＩＤ、パスワードおよび固定回線識別番号の対応を認証する。また、フェムト基地局４１２から認証ＧＷ４３１へ局識別情報を送信し、認証ＧＷ４３１が、局識別情報に対応付けられたＩＰアドレスと回線識別情報との対応を認証する。
【０１９１】
これにより、フェムト基地局４１２が、ＩＳＰ網２１２０を介して移動通信事業者網４３０に接続可能な場合であっても、フェムト基地局４１２がユーザによって正しい固定回線に接続されているかを認証ＧＷ４３１で確認することができる。
【０１９２】
以上説明したように、開示の通信サーバ、無線基地局、通信システムおよび通信方法は、局識別情報と回線識別情報を無線基地局から通信サーバへ送信し、通信サーバが局識別情報と回線識別情報との対応を認証する。これにより、フェムト基地局がユーザによって正しい固定回線に接続されているかを確認することができる。
【０１９３】
なお、上述した各実施の形態においては、建物４１０と固定回線事業者網４２０との間をＡＤＳＬにより接続する構成について説明したが、ＡＤＳＬに代えてＦＴＴＨなど各種の通信方式を用いることができる。また、フェムト基地局４１２（またはＢＢＲ１５１０）と認証ＧＷ４３１との間でＰＰＰセッションを確立する構成について説明したが、フェムト基地局４１２と認証ＧＷ４３１との間の通信プロトコルはＰＰＰに限られない。
【０１９４】
また、フェムト基地局４１２（またはＢＢＲ１５１０）と認証ＧＷ４３１との間でＩＰパケットの送受信を行う構成について説明したが、フェムト基地局４１２と認証ＧＷ４３１との間で送受信するデータはＩＰパケットに限られない。
【符号の説明】
【０１９５】
１００，４００  通信システム
【図１】
2010161638.tif 000003
【図２】
2010161638.tif 000004
【図３】
2010161638.tif 000005
【図４】
2010161638.tif 000006
【図５】
2010161638.tif 000007
【図６】
2010161638.tif 000008
【図７】
2010161638.tif 000009
【図８】
2010161638.tif 000010
【図９】
2010161638.tif 000011
【図１０】
2010161638.tif 000012
【図１１】
2010161638.tif 000013
【図１２】
2010161638.tif 000014
【図１３】
2010161638.tif 000015
【図１４】
2010161638.tif 000016
【図１５】
2010161638.tif 000017
【図１６】
2010161638.tif 000018
【図１７】
2010161638.tif 000019
【図１８】
2010161638.tif 000020
【図１９】
2010161638.tif 000021
【図２０−１】
2010161638.tif 000022
【図２０−２】
2010161638.tif 000023
【図２１】
2010161638.tif 000024
【図２２】
2010161638.tif 000025
【図２３】
2010161638.tif 000026
【図２４】
2010161638.tif 000027
【図２５】
2010161638.tif 000028
【図２６】
2010161638.tif 000029